(57)【要約】【課題】マネーケースに収納する紙幣ユニットと硬貨ユニットの組合せと配置を自在とし、利用者の操作性を向上させることを課題とする。【解決手段】ドロア装置に引き出し可能に装着されたマネーケースであって、紙幣を収納する紙幣ユニットと、硬貨を収納する硬貨ユニットとを、任意の組合せで所望の位置に着脱自在に収納したことを特徴とするマネーケース。【選択図】図２
2012243148.tif 000002
【特許請求の範囲】
【請求項１】
ドロア装置に引き出し可能に装着されたマネーケースであって、紙幣を収納する紙幣ユニットと、硬貨を収納する硬貨ユニットとを、任意の組合せで所望の位置に着脱自在に収納したことを特徴とするマネーケース。
【請求項２】
前記紙幣ユニットは、任意の紙幣を収納するスペースを有し、前記硬貨ユニットは、任意の硬貨を収納するスペースを有し、紙幣ユニットと硬貨ユニットとは、いずれもマネーケースの収納スペースよりも小さな部材であり、それぞれ分離した別筐体で形成されていることを特徴とする請求項１のマネーケース。
【請求項３】
前記紙幣ユニットおよび硬貨ユニットは、長方形状であり、一方向の幅が同一であることを特徴とする請求項１または２のマネーケース。
【請求項４】
前記紙幣ユニットおよび硬貨ユニットの底面と接触する位置に、紙幣ユニットおよび硬貨ユニットの底面を固定させる第１勘合部を備えたことを特徴とする請求項１ないし３のいずれかに記載のマネーケース。
【請求項５】
前記紙幣ユニットおよび硬貨ユニットが、マネーケースの前記第１勘合部と勘合可能な第２勘合部を、その底面に備えたことを特徴とする請求項４に記載のマネーケース。
【請求項６】
前記第１勘合部および第２勘合部が、それぞれ互いに結合可能な凹形状または凸形状に形成されていることを特徴とする請求項５に記載のマネーケース。
【発明の詳細な説明】
【技術分野】
【０００１】
この発明は、ドロア装置のマネーケースに関し、特に、紙幣および硬貨を収納する位置を適切に設定可能なドロア装置のマネーケースに関する。
【背景技術】
【０００２】
従来から、店舗等で販売商品の会計処理を行うＰＯＳ端末等には、紙幣および硬貨を収納するマネーケースが備えられている。
図９に、従来の一般的なマネーケースの構成図を示す。
マネーケース２は、一般的に、直方体形状で一つの面が開放された筐体であり、開放面を通して、紙幣および硬貨を収納し、あるいは取り出すことができるようになっており、ドロア装置１に組み込まれている。
【０００３】
また、筐体内部は、紙幣を収納するスペース２１と硬貨を収納するスペース２２に大きく区分される。紙幣収納スペース２１はいくつかの種類の紙幣が収納できるように予め固定的に仕切られた紙幣ユニットからなり、各紙幣は、図９に示すように、紙幣押えレバー１１により押さえられて収納されている。
また、硬貨収納スペース２２は、マネーケース２をドロア装置１から引き出す方向に対して、紙幣収納スペース２１よりも手前側に固定配置され、複数個の移動可能な仕切り板１２により、区分されている。この仕切り板１２の数によって収納できる硬貨の種類を増減でき、仕切り板１２を取り付ける位置によって各硬貨を収納する領域の大きさを可変にできる。
このように、図９に示すマネーケース２は、設計時に定められた形状およびレイアウトより決定され、紙幣と硬貨の収納位置は、そのマネーケースにより予め決まっていた。
【０００４】
また、同一金種の複数枚の硬貨を棒状に包装した棒金を、収容できる複数の収納庫を備えた収納装置（棒金ドロア装置）において、収納庫の配置をユーザの側で容易に変更できるようにした装置が提案されている（特許文献１参照）。
【先行技術文献】
【特許文献】
【０００５】
【特許文献１】特開２００１−１６０６２４号公報
【発明の概要】
【発明が解決しようとする課題】
【０００６】
しかし、図９に示したような従来のマネーケース２では、硬貨収納スペース２２の仕切り板１２を移動させることができるのみであり、紙幣収納スペース２１と、硬貨収納スペース２２の配置は固定されているので、利用者が紙幣と硬貨のスペースを自由に設定することはできなかった。
また、図９のように引き出し方向の前方に硬貨収納スペース２２が配置され、その奧に紙幣収納スペース２１が配置されている場合において、紙幣の収納等をするために必ずマネーケースをほぼフルオープンさせる必要があるので、通常紙幣の取り扱いの多い店舗では、担当者の操作性が良いとは言えなかった。
さらに、頻繁に出し入れする通貨は、業種，店舗の規模、取扱商品等によって多様であるので、店舗の担当者の操作性を向上させるために、紙幣および硬貨の収容位置は、各店舗の事情に応じて変更できることが望ましい。
【０００７】
また、特許文献１では、収納庫の外形の寸法および形状を統一して、予め定められた棒金を収納する収納庫の位置を交換可能とするものであって、盗難や紛失の発生を把握するために、収容されている棒金の金種と金額を検出する構成を備えることにより、多数の棒金の管理が可能となる。
しかし、棒金そのものの配置の変更と管理はできるものの、頻繁に出し入れする硬貨や紙幣についての収納位置や担当者の操作性については考慮されていない。
【０００８】
そこで、この発明は以上のような事情を考慮してなされたものであり、店舗ごとの事情により紙幣と硬貨の収納位置を適切に設定可能なドロア装置のマネーケースを提供することを課題とする。
【課題を解決するための手段】
【０００９】
この発明は、ドロア装置に引き出し可能に装着されたマネーケースであって、紙幣を収納する紙幣ユニットと、硬貨を収納する硬貨ユニットとを、任意の組合せで所望の位置に着脱自在に収納したことを特徴とするマネーケースを提供するものである。
これによれば、利用者の意思に基づいて、紙幣ユニットと硬貨ユニットとをマネーケースの中に自由に配置させることができるので、紙幣および硬貨をマネーケースから出し入れする担当者の操作性を向上させることができる。
また、この発明は、ドロア装置に引き出し可能に装着されたマネーケースであって、複数種の紙幣をそれぞれ収納する複数個の紙幣ユニットと、複数種の硬貨をそれぞれ収納する複数個の硬貨ユニットの中から、マネーケースの収納領域内に収納可能な数の前記紙幣ユニットおよび前記硬貨ユニットが選択され、前記マネーケースの収納領域内の所望の位置に前記選択されたユニットを着脱自在に収納したことを特徴とするマネーケースを提供するものである。
【００１０】
また、前記紙幣ユニットは、任意の紙幣を収納するスペースを有し、前記硬貨ユニットは、任意の硬貨を収納するスペースを有し、紙幣ユニットと硬貨ユニットとは、いずれもマネーケースの収納スペースよりも小さな部材であり、それぞれ分離した別筐体で形成されていることを特徴とする。
これによれば、紙幣ユニットと硬貨ユニットとを、担当者の意思により自由に選択することができる。
【００１１】
また、前記紙幣ユニットおよび硬貨ユニットは、長方形状であり、一方向の幅が同一であることを特徴とする。
これによれば、紙幣ユニットと硬貨ユニットの一方向の幅を同一としているので、マネーケースに収納できる両ユニットの選択が容易となり、両ユニットをマネーケースへ収納する操作も容易となる。
【００１２】
さらに、前記紙幣ユニットおよび硬貨ユニットの底面と接触する位置に、紙幣ユニットおよび硬貨ユニットの底面を固定させる第１勘合部を備えたことを特徴とする。
また、前記紙幣ユニットおよび硬貨ユニットが、マネーケースの前記第１勘合部と勘合可能な第２勘合部を、その底面に備えたことを特徴とする。
また、前記第１勘合部および第２勘合部が、それぞれ互いに結合可能な凹形状または凸形状に形成されていることを特徴とする。
これによれば、マネーケースと、紙幣ユニットおよび硬貨ユニットとが勘合されるので、ユニットががたついてマネーケース内を移動することがなく、半固定的に収納することができる。
【発明の効果】
【００１３】
この発明によれば、マネーケースに、紙幣ユニットと硬貨ユニットとを任意の組合せで所望の位置に着脱自在に収納するので、利用者の意思に基づいて自由に両ユニットを配置することができ、マネーケースから紙幣および硬貨の出し入れをする利用者の操作性を向上させることができる。
また、このマネーケースを装着したドロア装置を利用する店舗や利用者ごとの利用形態等の個々の事情に対応させて、紙幣ユニットおよび硬貨ユニットの収納位置を容易に変更することができる。
【図面の簡単な説明】
【００１４】
【図１】この発明のマネーケース、紙幣ユニットおよび硬貨ユニットの一実施例の構成図である。
【図２】この発明のユニットを収納したマネーケースの一実施例（第１配置例）の説明図である。
【図３】この発明のマネーケースに収納されるユニットの第２の配置例の説明図である。
【図４】この発明のマネーケースに収納されるユニットの第３の配置例の説明図である。
【図５】この発明のマネーケースに収納されるユニットの第４の配置例の説明図である。
【図６】この発明のマネーケースの一実施例の構成図である。
【図７】この発明の紙幣ユニットおよび硬貨ユニットの一実施例の構成図である。
【図８】この発明のマネーケースと各ユニットとの結合状態を示す説明図である。
【図９】従来のマネーケースの構成図である。
【発明を実施するための形態】
【００１５】
以下、図面を使用して本発明の実施の形態を説明する。なお、以下の実施例の記載によって、この発明が限定されるものではない。
＜この発明のマネーケースの構成＞
図１および図２に、この発明のマネーケース、紙幣ユニットおよび硬貨ユニットの一実施例の構成図を示す。
図２には、ユニットを収納したマネーケースの第１の配置例を示している。
図１（ａ）は、ドロア装置１に、マネーケース２を収容した状態を示している。
図の下方がマネーケース２の引き出し方向（オープン方向）とし、マネーケース２が図の上下方向に引き出し可能なように、ドロア装置１に装着されている。
図２（ｂ）は、マネーケース２を下方に引き出した状態を示している。
【００１６】
マネーケース２には、紙幣を収納する紙幣ユニット３と、硬貨を収納する硬貨ユニット４とが収納される。また、両ユニット（３，４）は、任意の組合せで所望の位置に着脱自在に収納される。
紙幣ユニット３は、任意の紙幣を収納するスペースを有し、硬貨ユニット４は、任意の硬貨を収納するスペースを有している。また、紙幣ユニット３と硬貨ユニット４とは、いずれもマネーケースの収納スペースよりも小さな部材である。さらに、紙幣ユニット３と硬貨ユニット４は、それぞれ分離した別筐体で形成されている。
【００１７】
図１（ｂ）に、この発明のマネーケースに収納される紙幣ユニットの一実施例の概略構成図を示す。
紙幣ユニット３は、１万円、５０００円、１０００円等のいずれの紙幣をも収納可能なサイズの筐体であり、紙幣をそろえて収納するために、紙幣押えレバー１１が取り付けられている。
図１（ｃ）に、この発明のマネーケースに収容される硬貨ユニット４の一実施例の概略構成図を示す。
硬貨ユニット４は、各種硬貨が収容可能なサイズの筐体であり、異なる種類の硬貨が別のスペースに収納できるように、ほぼ中央部分に仕切り板１２を取り付けられるようにしてもよい。
また、硬貨ユニットの中央部の上下の壁にスリットを設け、仕切り板１２をこのスリットにはめ込み、容易に着脱可能なようにすることが好ましい。仕切り板１２の取付け位置や数はこれに限るものではなく、複数個の仕切り板を任意の位置に取り付けられるようにしてもよい。
紙幣ユニット３と硬貨ユニット４は、店舗で必要な数だけ予め用意しておけばよい。
【００１８】
図２（ａ）は、これらの紙幣ユニット３と硬貨ユニット４とを、マネーケース２に収納した状態の一実施例を示している。ここでは、３つの紙幣ユニット３と、３つの硬貨ユニット４とを収納した場合を示している。
図２（ｂ）は、マネーケース２を図の下方にいくらか引き出した状態を示している。フルオープンではなく、硬貨のみが取り出せるような状態である。
このように硬貨ユニット４を引き出し方向に対して前方に配置した場合は、比較的紙幣よりも硬貨の方が取り出しやすい。
したがって、図２（ｂ）のようなユニットの配置は、わずかに引き出すだけで硬貨の出し入れができるので、硬貨の出し入れが頻繁に行われる店舗で採用されることが好ましい。
たとえば、主に小額商品を取り扱う１００円ショップや駄菓子屋のような店舗においてこの配置を採用すれば、担当者の操作性が向上できる。
【００１９】
図３に、この発明のマネーケースに収納されるユニットの第２の配置例の説明図を示す。
図３においては、３つの紙幣ユニット３を、引き出し方向に対して前方に配置し、３つの硬貨ユニット４を後方に配置している。この場合は、紙幣ユニット３の方が前方に配置されているので、紙幣の方が取り出しやすい。
マネーケースをフルオープンしなくても、容易に紙幣を取り出すことができる。
したがって、主に紙幣の出し入れが多い場合に適した配置である。たとえば、ブティックなどの紙幣の取り扱いが比較的多い店舗では、このような配置が好ましい。
【００２０】
図４に、この発明のマネーケースに収納されるユニットの第３の配置例の説明図を示す。
図４においては、１つの紙幣ユニット３と、２つの硬貨ユニット４とを、引き出し方向に対して前方に配置し、２つの紙幣ユニット３と１つの硬貨ユニット４とを、引き出し方向に対して後方に配置した場合を示している。
このように、３つの紙幣ユニット３と３つの硬貨ユニット４とを使用した場合においては、図２（ａ）、図３および図４に示したような種々の配置が考えられるが、この他にも別の配置をすることもできる。したがって、その店舗の担当者が現金の操作上都合のよいように、両ユニットを配置すればよい。
【００２１】
図５に、この発明のマネーケースに収納されるユニットの第４の配置例の説明図を示す。
図５では、２つの紙幣ユニット３と、５つの硬貨ユニット４とを用いた場合を示している。
このような配置は、取り扱う硬貨の種類と数量が多い場合に有効な配置である。
また、硬貨ユニット４に取りつける仕切り板１２も、硬貨の取扱い量に応じて、取り付けたり、はずしたりすればよい。
【００２２】
上記実施例では、紙幣ユニット３と、硬貨ユニット４を長方形状とし、両ユニットの一方向の幅を同一としている。また、紙幣ユニット３の紙面の上下方向の長さを、硬貨ユニット４の上下方向の長さの２倍とした場合を示している。
このように、両ユニットを長方形状とし、一方向の幅（紙面の左右方向の幅）を同一としているので、マネーケースに収納する両ユニットの選択が容易となり、また、両ユニットをマネーケースへ収納する操作も容易となる。
【００２３】
両ユニットをこのような大きさとした場合はより多くの配置のバリエーションが考えられる。したがって、図５に示した配置に限られることなく、店舗の事情に応じて、両ユニットの数量と収納位置とを決めればよいので、現金の取扱いがより円滑にでき、担当者の操作性を向上できる。
【００２４】
また、両ユニットの大きさは図１から図５のものに限られることなく、種々の大きさのものを用いてもよい。
たとえば、紙幣ユニットと硬貨ユニットとの長辺の比を２対１ではなく、３対１や４対１のように整数倍の比率としてもよい。
さらに、たとえば、紙幣ユニット３について、すべての紙幣のどれもが収納できるように、同一サイズとすることが好ましいが、サイズを異ならせてもよい。また、各紙幣ユニットの１つずつが分離された構造とした場合は配置のバリエーションが多くなるので好ましいが、たとえば３つの紙幣ユニットを必ず使用する場合などでは、３つの紙幣ユニットが一体的に形成されたものを用いてもよい。
【００２５】
あるいは、１つの紙幣ユニット３ごとに分離されている場合でも、たとえばその側面に互いにユニットどおしを接続できる面を設け、結合できるようにしてもよい。
また、硬貨ユニット４についても、同様に同一サイズとしてもよいが異なるサイズのものを使用してもよく、分離および結合が容易な構成としてもよい。
【００２６】
また、図２から図５では、紙幣ユニット３は、引き出し方向に対して長辺が平行となるように収納しているが、紙幣ユニット３を横向きにし、引き出し方向に対して長辺が垂直となるように収納してもよい。
このように、紙幣ユニット３と硬貨ユニット４とを分離して、別々に用意することにより、マネーケース２の中に、パズル的に、両ユニットを配置することができる。したがって店舗の事情に応じたユニットの配置をすることができるので、現金の取扱いをする担当者の操作性を向上できる。
【００２７】
図６に、この発明のマネーケースの一実施例の構成図を示す。
上記した実施例では、主として、紙幣ユニット３と硬貨ユニット４の形状と配置について説明し、両ユニットを適切に組み合わせて、マネーケース２の中に収納することを示した。
マネーケース２の大きさと、配置した両ユニットの大きさとがぴったり一致していれば特にがたつきは問題とならないが、両ユニットをマネーケースに収納する場合や配置を変更する場合の操作のしやすさを考慮すると、通常収納されたユニットの全体の大きさがマネーケース２の大きさよりもやや小さくなるようにすることが好ましい。
したがって、このような場合、マネーケース２の中でユニットががたつき、上下左右に移動しないように、ユニットをマネーケース２に半固定することが好ましい。
【００２８】
図６では、マネーケースとユニットとを勘合させて半固定するための構造の一実施例を示している。
図６（ａ）には、マネーケース２の収納部分の底面であって、紙幣ユニット３および硬貨ユニット４を配置する位置に、勘合部１３（凸部とも呼ぶ）を設けたものを示している。
マネーケースの勘合部１３は、紙幣ユニット３と硬貨ユニット４の底面と接触する位置に、両ユニットの底面を固定させるための構造部分である。
この勘合部１３は、後述する図７に示したユニットの勘合部１４と勘合するものであり、これらの勘合部どおしがかみ合うことにより、ユニット（３，４）がマネーケース２に半固定される。
マネーケースの勘合部１３が上記した第１勘合部に相当し、紙幣ユニット３および硬貨ユニット４の勘合部１４が第２勘合部に相当する。
【００２９】
図６（ｂ）は、マネーケース２の断面図を示している。ここでは、マネーケース２の勘合部１３は、凸形状の部分として示しているが、逆にユニットに設けられる凸形状の勘合部１４と勘合する凹形状であってもよい。
すなわち、２つの勘合部（１３，１４）は、それぞれ互いに結合可能な凹形状または凸形状に形成されていればよい。
図６（ａ）では、９つの正方形状の勘合部１３を設けたものを示しているが、勘合部１３の大きさ、形状、数はこれに限られるものではない。
【００３０】
図７に、この発明の紙幣ユニット３と、硬貨ユニット４の一実施例の構成図を示す。
図７（ａ），（ｂ）および（ｃ）は、紙幣ユニット３の構造の一実施例を示したものである。図７（ａ）はユニット３を上方向から見た上面図であり、図７（ｂ）はユニット３を下方向から見た底面図である。
図７（ｄ），（ｅ）および（ｆ）は、硬貨ユニット４の構造の一実施例を示したものである。図７（ｄ）はユニット４を上方向から見た上面図であり、図７（ｅ）はユニット４を下方向から見た底面図である。
紙幣ユニット３および硬貨ユニット４は、マネーケース２と接触するその底面に、マネーケース２に設けられた勘合部１３と勘合可能な勘合部１４（凹部とも呼ぶ）を備える。
たとえば、図７（ｂ），（ｃ）に示すように、紙幣ユニット３の底面に、２つの凹形状の勘合部１４を設ける。
この凹部１４に、図６に示したマネーケースの凸部１３をはめ込むことで、紙幣ユニット３を、マネーケース２に固定する。
【００３１】
また、図７（ｅ），（ｆ）に示すように、硬貨ユニット４の底面に、１つの凹形状の勘合部１４を設ける。
両ユニットに設ける勘合部１４も、その大きさ、形状、数はこれに限定するものではなく、マネーケース２の勘合部１３と互いに勘合できるようなものであればよい。
【００３２】
図８に、紙幣ユニットおよび硬貨ユニットと、マネーケースとの結合状態を示す一実施例の説明図を示す。
図８（ａ）に、図７に示した紙幣ユニット３および硬貨ユニット４を結合した後の状態を示す。
ここで、図８（ｂ）に示すように、両ユニット（３，４）の凹部１４が、マネーケース２の凸部１３とが勘合するように、両ユニットを配置させる。
これにより、図８（ｃ）に示すように、両ユニット（３，４）と、マネーケース２とが結合されるので、ユニットががたついて移動することはない。
【００３３】
また、ここでは凸部１３と凹部１４の結合側面は接触しているだけなので、紙幣ユニット３および硬貨ユニット４を上方に引き上げるだけで、容易に取り出すことができる。すなわち、ユニットの着脱、配置の変更等が容易に可能である。
なお、紙幣ユニット３と硬貨ユニット４の配置のバリエーションを多くするためには、勘合部（１３，１４）を設ける位置やサイズを統一し、マネーケースの勘合部１４を、その底面に均等の間隔で配置することが好ましい。
【符号の説明】
【００３４】
１  ドロア装置
２  マネーケース
３  紙幣ユニット
４  硬貨ユニット
１１  紙幣押えレバー
１２  仕切り板
１３  凸部（勘合部）
１４  凹部（勘合部）
２１  紙幣収納スペース
２２  硬貨収納スペース
【図１】
2012243148.tif 000003
【図２】
2012243148.tif 000004
【図３】
2012243148.tif 000005
【図４】
2012243148.tif 000006
【図５】
2012243148.tif 000007
【図６】
2012243148.tif 000008
【図７】
2012243148.tif 000009
【図８】
2012243148.tif 000010
【図９】
2012243148.tif 000011